(57)【要約】【課題】檜材を代表とする天然木に似せた木目柄、木目模様の外観を呈するように成形してなる発砲ポリウレタン樹脂等の合成樹脂を素材として成形された開き扉、押し扉、引き戸等の合成樹脂製の室内扉に、当該天然木のもつ自然の木の香りを放香するようになすことによって本物の天然木製の室内扉と同等の高級感を醸し出すことができる合成樹脂製室内扉の製造方法を提供する。【解決手段】檜材、その他天然木の木目柄、木目模様を施してなる開き扉、押し扉、引き戸扉等の室内扉を発砲ポリウレタン樹脂等の合成樹脂を素材として所定の形態に成形すると共に該室内扉にアクリルラッカークリアーを基材となして、これに檜材、その他当該天然木の香料を配合、混合して表面仕上げ塗装する。【選択図】        図１
2005074636.tif 000002
【特許請求の範囲】
【請求項１】
檜材、その他天然木の木目柄、木目模様を施してなる開き扉、押し扉、引き戸扉等の室内扉を発砲ポリウレタン樹脂等の合成樹脂を素材として所定の形態に成形すると共に該室内扉にアクリルラッカークリアーを基材となして、これに檜材、その他当該天然木の香料を配合、混合して表面仕上げ塗装することを特徴とする天然木の香りを放香する合成樹脂製室内扉の製造方法。
【請求項２】
前記アクリルラッカークリアーの基材に対し当該天然木の香料を５〜３０重量パーセント配合、混合してなる請求項１に記載の天然木の香りを放香する合成樹脂製室内扉の製造方法
【発明の詳細な説明】
【０００１】
【発明が属する技術分野】
本発明は、天然木の香りを放香する合成樹脂製室内扉の製造方法に関するものである。
【０００２】
【従来の技術】
従来、発砲ポリウレタン樹脂等の合成樹脂を素材として成形される開き扉、押し扉、引き戸等の合成樹脂製の高級な木質感を与える室内扉においては、檜材を代表とする天然木に似せた木目柄、木目模様の外観を呈するように成形されている。
【０００３】
なお、関連する先行技術文献としては、特開平９−３１４７４９号が存在する。
【０００４】
しかしながら、檜材を代表とする天然木に似せた木目柄、木目模様の外観を呈する前記の合成樹脂製の高級な室内扉にあっては、檜材、その他の天然木の自然に近い木目柄、木目模様を呈するといえども本物の天然木製の製品に比較すれば、それと同等の高級感を醸し出すことができないのが現状であり、高級感に欠ける傾向にあるという問題点があった。
【０００５】
【発明が解決しようとする課題】
本発明は、如上の問題点を背景としてこれを解決すべく案出したものであって、檜材を代表とする天然木に似せた木目柄、木目模様の外観を呈するように成形してなる発砲ポリウレタン樹脂等の合成樹脂を素材として成形された開き扉、押し扉、引き戸等の合成樹脂製の室内扉に、当該天然木のもつ自然の木の香りを放香するようになすことによって本物の天然木製の室内扉と同等の高級感を醸し出すことができる合成樹脂製室内扉の製造方法を提供することを目的とするものである。
【０００６】
【課題を解決するための手段】
上記目的を達成するための本発明の構成を実施の形態を用いて説明すると、本発明に係る天然木の香りを放香する合成樹脂製室内扉の製造方法は、檜材、その他天然木の木目柄、木目模様を施してなる開き扉、押し扉、引き戸扉等の室内扉を発砲ポリウレタン樹脂等の合成樹脂を素材として所望の形態に成形すると共に該室内扉にアクリルラッカークリアーを基材となして、これに檜材、その他当該天然木の香料を配合、混合して表面仕上げ塗装することを主要な特徴とするものである。
【０００７】
【発明の実施の形態】
以下に、本発明の実施の形態を図示する実施例に基づいて説明する。
【０００８】
【実施例】
先ず、所望の形態に設計してなる開き扉、押し扉、引き戸扉等の室内扉のマスター型を製作すると共に内枠、外枠からなる成形枠を製作し、それにシリコンゴムを注入してゴム型取りをなし、成形枠を分離してマスター型を取り出し、その後に、２０℃程度で保温貯蔵している主剤と硬化剤との二液をミキシングヘッドで混合させた発泡ポリウレタン樹脂を注入して発泡硬化させ、発砲ポリウレタン樹脂を素材とする等の所定の形態及び模様色彩を粉体塗装を用いる等して檜材等の天然木の木目柄、木目模様を呈する外観表面を有する開き扉、押し扉、引き戸扉等の図１、図２に例示するような室内扉Ａを成形する。
【０００９】
このように成形した所定の発砲ポリウレタン樹脂等の合成樹脂製の開き扉、押し扉、引き戸扉等の室内扉１をバリ取り、生地調整して仕上げした上で、これに表面塗装を施す。
【００１０】
ここにおける表面塗装において、アクリルラッカークリアーを基材となし、これに天然檜材の香料であるヒノキオイルマイクロカプセル（第一工業製薬株式会社製）等の天然木の香料を５〜３０重量パーセントの割合で配合した混合液をもって室内扉を表面仕上げ塗装する。
【００１１】
基材とするアクリルラッカークリアーに対するヒノキオイルマイクロカプセル等の天然木の香料の配合割合は、５重量パーセント未満では天然木の香りが希薄であり、また、３０重量パーセントを超過すると天然木の香りがきつ過ぎて不適当であり、５〜３０重量パーセントの範囲内での配合割合が最も自然な感じを与えて適当である。
【００１２】
これにより発泡ポリウレタン樹脂等の合成樹脂製の檜材の木目柄、木目模様の室内扉に、その木目柄、木目模様に相応しい天然檜材の微かな香りを長期に亘って持続的に放香させることができ、天然檜材の香りを放香する発泡ポリウレタン等の合成樹脂製の開き扉、押し扉、引き戸扉等の室内扉を得ることができる。
【００１３】
上記の天然檜材の香りを放香する発泡ポリウレタン等の合成樹脂製の開き扉、押し扉、引き戸扉等の室内扉は、それ自体が人の出入りに伴う扉の開閉操作に必然的に従動するものであることから、その扉の開閉操作に伴って扉自体が往復移動して周囲の空気に対流を生じさせることから、開閉操作の度毎に天然檜材の微かな木の香りを周囲に助長拡散させることができ、アロマセラピー効果をも発揮させることができる。
【００１４】
本実施例ではわが国において高級天然木材として家具等に広汎に用いられる檜材を代表例として例示したが、檜材に限定されるものではない。檜材以外の天然木材であってもよく、各々の天然木材の木目柄、木目模様の外観を有するよう発泡ポリウレタン樹脂等の合成樹脂を素材として成形し、その該当する天然木材に相応しい適宜な香料を基材のアクリルラッカークリアーに配合、混合してなる混合液をもって、室内扉を表面仕上げ塗装することができるものである。
【００１５】
【発明の効果】
本発明は、以上説明した如くなり、請求項１の製造方法において、檜材を代表とする天然木に似せた木目柄、木目模様の外観を呈するように成形してなる発砲ポリウレタン樹脂等の合成樹脂を素材として成形された開き扉、押し扉、引き戸等の合成樹脂製の室内扉に、それに相応しい当該天然木のもつ自然の天然木の香りを放香するようになすことができ、本物の天然木製の室内扉と同等の高級感を醸し出すことができる合成樹脂製室内扉を提供することができる効果を奏する。
【００１６】
請求項２の製造方法において、檜材、その他天然木の木目柄、木目模様を施してなる開き扉、押し扉、引き戸扉等の合成樹脂製の室内扉に天然木の香りを最も自然な感じを与えるように放香させることができる効果を奏する。
【図面の簡単な説明】
【図１】室内扉の実施例を示す表面図である。
【図２】室内扉の実施例を示す裏面図である。
【符号の説明】
Ａ    室内扉
【図１】
2005074636.tif 000003
【図２】
2005074636.tif 000004